(57)【特許請求の範囲】
【請求項１】
直流軌道回路の直流信号である信号電流を測定する電流測定器において、
レールの長手方向に沿って移動可能にレール踏面に載置される走行部と、
前記走行部の長手方向に所定の間隔をおいて設けられ前記レールに接触して当該接触部分の電位差を検出するための２つの接触子と、
前記２つの接触子で検出された電位差に基づき前記信号電流の値を計算して表示する信号処理部と、
前記接触子を前記レール踏面に押圧する付勢部と、
を備えることを特徴とする信号電流測定器。
【請求項２】
前記信号処理部は、前記レールに重畳して流れる交流電流の周波数成分を減衰させるフィルタを備えたことを特徴とする請求項１に記載の信号電流測定器。
【請求項３】
前記２つの接触子の所定の間隔を可変にしたことを特徴とする請求項１又は２に記載の信号電流測定器。
【請求項４】
前記信号処理部は、前記レールの種類に応じて異なる定数を用いて前記信号電流の値を計算することを特徴とする請求項１〜３の何れか一項に記載の信号電流測定器。
【請求項５】
前記接触子は、前記レール踏面を研磨可能で導電性を有するブラシ状部材から構成したことを特徴とする請求項１〜４の何れか一項に記載の信号電流測定器。
【請求項６】
前記接触子は、２つの前記ブラシ状部材から構成したことを特徴とする請求項５に記載の信号電流測定器。
【請求項７】
直流軌道回路の直流信号である信号電流を測定して軌道短絡障害が発生している箇所を特定する短絡箇所特定方法であって、
レールの長手方向に沿って移動可能な走行部をレール踏面に載置して各測定点に移動するステップと、
前記各測定点において、前記走行部の長手方向に所定の間隔をおいて設けられ前記レールに接触した２つの接触子が、当該接触部分の電位差を検出するステップと、
信号処理部が、前記２つの接触子で検出された電位差に基づき前記信号電流の値を計算して表示すると共に、前記信号電流が測定できた測定点と、前記信号電流が測定できなかった測定点との間に短絡箇所があると特定して表示するステップと、
を含むことを特徴とする短絡箇所特定方法。
【発明の詳細な説明】
【技術分野】
【０００１】
本発明は、非電化区間で使用される直流軌道回路の信号電流測定器及び信号電流測定器を用いた短絡箇所特定方法に関する。
【背景技術】
【０００２】
非電化区間で使用される直流軌道回路は、送信側から整流器で整流された直流電流を信号電流として絶縁されたレール（閉塞区間）に流して、受信側の軌道リレーに入力しておき、絶縁されたレール（閉塞区間）に在線する列車の車輪によりレールが短絡されて、軌道リレーに信号電流が流れなくなることで列車の在線状況を検知し、信号機を停止現示（赤信号）にすることにより、絶縁されたレール（閉塞区間）への他の列車の進行を禁止して、列車の追突や正面衝突を防止する。
【０００３】
このような直流軌道回路において、大雨によるレールの短絡、金属や導電性部材によるレールの短絡、絶縁破壊による短絡等に起因した軌道短絡障害が発生した場合、列車が在線していないにも関わらず、信号機が停止現示（赤信号）になってしまい、絶縁されたレール（閉塞区間）へ列車が進行できなくなってしまう。このため、短絡箇所を特定して、軌道短絡障害を解消するためにレールに流れる信号電流を測定することが必要になる。
【０００４】
しかし、このような直流軌道回路は、設備構成が簡単であり壊れにくく、また、非電化区間等の限られた地域でしか導入されておらず、レールに流れる直流電流である信号電流を測定する測定器に対する要望がなく、当該測定器が存在しなかった。
【０００５】
これに対して、広く導入されている交流軌道回路においては、交流電流である信号電流を測定するために、非接触で交流電流を測定可能な電流検出子を２つ備えて、軌道回路の並走レールの双方について信号電流を同時かつ円滑に移動測定できる電流測定装置が開示されている（例えば、特許文献１参照）。
【０００６】
また、直流電鉄き電回路においては、レールに流れる直流電流である帰線電流を測定するために、レールに流れる帰線電流による磁界の変化を検出する磁界検出手段を備えて、設備が大型化することなく帰線電流を容易に検出できるレール直流電流検知装置が開示されている（例えば、特許文献２参照）。
【先行技術文献】
【特許文献】
【０００７】
【特許文献１】特開２０１０−２３４８７５号公報
【特許文献２】特開２００７−１５３２５５号公報
【発明の概要】
【発明が解決しようとする課題】
【０００８】
しかしながら、特許文献１の先行技術では、交流軌道回路における交流電流である信号電流を測定するものであり、直流軌道回路における直流電流である信号電流を測定することはできないといった問題点があった。
また、特許文献２の先行技術では、レールに流れる直流電流である帰線電流を測定するものであるものの、直流電鉄き電回路では、直流電流である帰線電流が信号電流の妨害となり直流軌道回路を使用することができないと共に、当該帰線電流は数１００Ａ〜数１０００Ａであるのに対して、直流軌道回路の信号電流は数Ａ程度であり、直流軌道回路の信号電流は帰線電流と比較して極めて小さいため、特許文献２の先行技術をそのまま直流軌道回路の信号電流の測定には適用できないといった問題点があった。
また、直流軌道回路のレールにコイルを巻きつけ磁界の変化を検出することにより、レールに流れる信号電流（直流電流）を測定することは可能であるものの、レールにコイルを巻きつけた状態での移動はできず、軌道短絡障害における短絡箇所を特定するために、絶縁されたレール（閉塞区間）全体に亘って移動しながら各測定点で信号電流（直流電流）を測定することは困難であるといった問題点があった。
【０００９】
本発明の課題は、直流軌道回路において、絶縁されたレール（閉塞区間）全体に亘って移動しながら各測定点で直流電流である信号電流を測定することができる直流軌道回路の信号電流測定器及び信号電流測定器を用いた短絡箇所特定方法を提供することにある。
【課題を解決するための手段】
【００１０】
上記課題を達成するため、この発明は、
直流軌道回路の直流信号である信号電流を測定する電流測定器において、
レールの長手方向に沿って移動可能にレール踏面に載置される走行部と、
前記走行部の長手方向に所定の間隔をおいて設けられ前記レールに接触して当該接触部分の電位差を検出するための２つの接触子と、
前記２つの接触子で検出された電位差に基づき前記信号電流の値を計算して表示する信号処理部と、
前記接触子を前記レール踏面に押圧する付勢部と、
を備えるようにしたものである。
【００１１】
レール踏面に載置された走行部を、レールの長手方向に沿って移動させながら各測定点まで移動し、２つの接触子で検出された電位差に基づき信号電流（直流電流）の値を計算し表示することにより、直流軌道回路において、絶縁されたレール（閉塞区間）全体に亘って移動しながら各測定点で直流電流である信号電流を測定することができる。また、各測定点における測定された信号電流の値に基づき、短絡箇所を特定することができる。
また、接触子を付勢部によりレール踏面に押し付けることにより、測定点において確実に接触子とレール踏面との接触を担保することができ、より正確に信号電流の値の測定をすることができる。
【００１２】
また、望ましくは、前記信号処理部は、前記レールに重畳して流れる交流電流の周波数成分を減衰させるフィルタを備えるようにしたものである。
フィルタにより信号電流の値の測定に障害をもたらす踏切制御子の電流等の交流電流を除去することができるので、より正確に信号電流の値の測定をすることができる。
【００１３】
また、望ましくは、前記２つの接触子の所定の間隔を可変にしたものである。
２つの接触子の所定の間隔を広くすることにより、測定される電位差の値は大きくなるので測定感度を向上させることができ、また、短絡箇所を特定する際には、測定感度よりも信号電流の有無が必要な情報となるので２つの接触子の所定の間隔を狭くすることにより、短絡箇所をより細かく特定することができる。
【００１４】
また、望ましくは、前記信号処理部は、前記レールの種類に応じて異なる定数を用いて前記信号電流の値を計算するようにしたものである。
レールの種類によって定数である抵抗値が異なるので、レールの種類に応じて対応する抵抗値を用いて信号電流の値を計算することにより、より正確に信号電流の値の測定をすることができる。
【００１５】
また、望ましくは、前記接触子は、前記レール踏面を研磨可能で導電性を有するブラシ状部材から構成するようにしたものである。
接触子をレール踏面を研磨可能で導電性を有するブラシ状部材にすることにより、レール踏面に錆びが生じている場合であっても、走行部の移動に伴い、レール踏面が研磨されるので、測定点において確実に接触子とレール踏面との接触を担保することができ、より正確に信号電流の値の測定をすることができる。
【００１６】
また、望ましくは、前記接触子は、２つの前記ブラシ状部材から構成するようにしたものである。
接触子を２つのブラシ状部材から構成することにより、レールにカント（レールの曲線部において、外側のレールまたは路面を内側よりも高くする）が設けられた場合であっても、２つのブラシ状部材がレール踏面に接触し易くなって、レール踏面を均等に研磨することができるので、測定点において確実に接触子とレール踏面との接触を担保することができ、より正確に信号電流の値の測定をすることができる。
【００１８】
また、本出願の他の発明は、
直流軌道回路の直流信号である信号電流を測定して軌道短絡障害が発生している箇所を特定する短絡箇所特定方法であって、
レールの長手方向に沿って移動可能な走行部をレール踏面に載置して各測定点に移動するステップと、
前記各測定点において、前記走行部の長手方向に所定の間隔をおいて設けられ前記レールに接触した２つの接触子が、当該接触部分の電位差を検出するステップと、
信号処理部が、前記２つの接触子で検出された電位差に基づき前記信号電流の値を計算して表示すると共に、前記信号電流が測定できた測定点と、前記信号電流が測定できなかった測定点との間に短絡箇所があると特定して表示するステップと、
を含むようにしたものである。
【００１９】
走行部をレール踏面に載置して各測定点に移動し、各測定点において、走行部の長手方向に所定の間隔をおいて設けられレールに接触した２つの接触子が、当該接触部分の電位差を検出し、信号処理部が、２つの接触子で検出された電位差に基づき信号電流の値を計算して表示すると共に、信号電流が測定できた測定点と、信号電流が測定できなかった測定点との間に短絡箇所があると特定して表示することにより、各測定点における測定された信号電流の値に基づき、短絡箇所を特定することができる。
【発明の効果】
【００２０】
本発明によれば、直流軌道回路の直流信号である信号電流を測定する電流測定器において、レールの長手方向に沿って移動可能にレール踏面に載置される走行部と、走行部の長手方向に所定の間隔をおいて設けられレールに接触して当該接触部分の電位差を検出するための２つの接触子と、２つの接触子で検出された電位差に基づき信号電流の値を計算して表示する信号処理部と、を備えることにより、レール踏面に載置された走行部を、レールの長手方向に沿って各測定点まで移動し、２つの接触子で検出された電位差に基づき信号電流（直流電流）の値を計算し表示できるので、直流軌道回路において、絶縁されたレール（閉塞区間）全体に亘って移動しながら各測定点で直流電流である信号電流を測定することができる。
また、走行部をレール踏面に載置して各測定点に移動し、各測定点において、走行部の長手方向に所定の間隔をおいて設けられ前記レールに接触して当該接触部分の電位差を検出するための２つの接触子が、当該接触部分の電位差を検出し、信号処理部が、２つの接触子で検出された電位差に基づき信号電流の値を計算して表示すると共に、信号電流が測定できた測定点と、信号電流が測定できなかった測定点との間に短絡箇所があると特定して表示することにより、各測定点における測定された信号電流の値に基づき、短絡箇所を特定することができる。
【図面の簡単な説明】
【００２１】
【図１】本実施の形態に係る直流軌道回路の信号電流測定器の構成の一例を示す概略構成図である。
【図２】図１の走行部及び接触子とレールとの関係を説明する説明図である。
【図３】本実施の形態に係る直流軌道回路の信号電流測定器による短絡箇所の特定方法を説明する説明図である。
【図４】本実施の形態に係る直流軌道回路の信号電流測定器による短絡箇所の特定方法を説明する説明図である。
【図５】第２実施形態に係る直流軌道回路の信号電流測定器の構成の一例を示す概略構成図である。
【図６】第３実施形態に係る直流軌道回路の信号電流測定器の構成の一例を示す概略構成図である。
【発明を実施するための形態】
【００２２】
（実施形態）
［１．構成の説明］
以下、図面を参照しつつ、本発明の実施形態である直流軌道回路の信号電流測定器及び信号電流測定器を用いた短絡箇所特定方法を詳細に説明する。但し、発明の範囲は、図示例に限定されない。
【００２３】
本発明の実施形態の直流軌道回路の信号電流測定器の構成について図１及び図２を参照して説明する。図１は、直流軌道回路の信号電流測定器１００の構成を示す概略構成図（正面図及び側面図）である。
走行部１は、敷設されたレールＲＬ２１のレール踏面ＴＰ２１に載置される。また、走行部１には、短手方向の両側にレールＲＬ２１の側面を挟み込むように支持すると共に、回転可能なローラ等で構成されるガイドＧＤ１１を備えており、このため、走行部１は、レールＲＬ２１から外れることなくレールＲＬ２１の長手方向に沿って移動可能になっている。
【００２４】
接触子２は、走行部１の長手方向の両端にそれぞれ設けられ、走行部１をレールＲＬ２１に載置した際に、レール踏面ＴＰ２１に所定の間隔で接触し、当該接触部分の電位差を検出する導電性を有する部材である。また、直流軌道回路が使用される非電化区間では、列車の本数も少なく、レール踏面ＴＰ２１に錆びが生じている場合も考えられるので、接触子２としては、走行部１の移動に伴い、レール踏面ＴＰ２１が研磨できるように、導電性を有するブラシ状部材により構成しても良い。
【００２５】
信号処理部３は、ＬＣＤ等の表示手段と、信号電流の値を計算や短絡箇所の特定を行うための制御手段、或いは、処理回路から構成され、制御手段等は、２つの接触子２で検出された電位差に基づき信号電流の値を計算して表示手段に表示する。
具体的には、２つの接触子２で検出された電位差と、予め設定されたレールの定数である抵抗値に基づき直流電流である信号電流の値を計算して表示手段に表示する。また、各測定点における測定された信号電流の値に基づき、短絡箇所を特定して表示手段に表示する。
【００２６】
また、直流軌道回路において、絶縁されたレール（閉塞区間）全体に亘って移動する際に、手で掴んで押したり引いたりするためのハンドルＨＤ１１が、必要に応じて、走行部１の長手方向の中央部分に回動可能に取り付けられる。
【００２７】
［２．短絡箇所の特定方法の説明］
ここで、本発明の実施形態である直流軌道回路の信号電流測定器による短絡箇所の特定方法の説明を図３及び図４を用いて詳細に行う。
図３（ａ）の短絡箇所ＦＬ３１で短絡させた場合、信号電流ＤＩ３１は、整流器ＲＦ３１から限流抵抗Ｒ３２を介して、レールＲＬ３１の一方に流れ込み、短絡箇所ＦＬ３１を介してレールＲＬ３１の他方に流れて整流器ＲＦ３１に戻ってくる。
そして、レール踏面に載置された走行部１を、レールＲＬ３１の長手方向に沿って測定点ＰＴ３１及び測定点ＰＴ３２まで移動させ、当該測定点における信号電流の値を、本発明の実施形態である直流軌道回路の信号電流測定器を用いて測定した結果が、図３（ｂ）及び図３（ｃ）である。但し、測定点ＰＴ３３及び測定点ＰＴ３４は、通常の電流計により測定したものである。
【００２８】
図３（ｂ）に示すように測定点ＰＴ３１における信号電流の値は”９．７Ａ”であり、整流器ＲＦ３１から流れ出す信号電流ＤＩ３１の値である”４．７Ａ”とは値が異なっている。また、本来であれば信号電流が流れないはずの測定点ＰＴ３２でも”９．７Ａ”の信号電流が測定されている。
【００２９】
このような測定誤差は、測定対象であったレールＲＬ３１には、直流軌道回路の信号電流（直流電流）の他に、例えば、踏切制御子の電流（８．５ｋＨｚの交流電流）が重畳して流れていたためであり、当該交流電流に起因する測定誤差であった。
このため、信号処理部３に、踏切制御子の電流（交流電流）の周波数成分を減衰させるフィルタを備える。具体的には、直流電流である信号電流を通過させ、踏切制御子の電流（交流電流）の周波数成分を減衰させるローパスフィルタ（ＬＰＦ）を備えた。
【００３０】
図３（ｃ）は、信号処理部３に、踏切制御子の電流（交流電流）の周波数成分を減衰させるフィルタを備えた信号電流測定器により測定した結果であり、図３（ｃ）に示すように測定点ＰＴ３１における信号電流の値は”４．６Ａ”となり、整流器ＲＦ３１から流れ出す信号電流ＤＩ３１の値である”４．８Ａ”と略一致すると共に、本来であれば信号電流が流れないはずの測定点ＰＴ３２も”０．３”となる。
したがって、測定作業者は、整流器ＲＦ３１から流れ出す信号電流ＤＩ３１が測定できた測定点ＰＴ３１と、整流器ＲＦ３１から流れ出す信号電流ＤＩ３１が測定できなかった測定点ＰＴ３２との間に、短絡箇所ＦＬ３１があると特定することができる。
【００３１】
同様に、図４（ａ）の短絡箇所ＦＬ４１で短絡させた場合、信号電流ＤＩ４１は、整流器ＲＦ３１から限流抵抗Ｒ３２を介して、レールＲＬ３１の一方に流れ込み、短絡箇所ＦＬ４１を介してレールＲＬ３１の他方に流れて整流器ＲＦ３１に戻ってくる。
そして、レール踏面に載置された走行部１を、レールＲＬ３１の長手方向に沿って測定点ＰＴ４１及び測定点ＰＴ４２まで移動させ、当該測定点における直流電流の値を、本発明の実施形態である直流軌道回路の信号電流測定器を用いて測定した結果が、図４（ｂ）である。但し、測定点ＰＴ４３及び測定点ＰＴ４４は、通常の電流計により測定したものであり、信号処理部１には、踏切制御子の電流（交流電流）の周波数成分を減衰させるフィルタを備えている。
【００３２】
図４（ｂ）に示すように測定点ＰＴ４１における信号電流の値は”４．２Ａ”となり、整流器ＲＦ３１から流れ出す信号電流ＤＩ４１の値である”４．８Ａ”と略一致すると共に、本来であれば信号電流が流れないはずの測定点ＰＴ４２も”０．０”となる。
したがって、測定作業者は、整流器ＲＦ３１から流れ出す信号電流ＤＩ４１が測定できた測定点ＰＴ４１と、整流器ＲＦ３１から流れ出す信号電流ＤＩ４１が測定できなかった測定点ＰＴ４２との間に、短絡箇所ＦＬ４１があると特定することができる。
【００３３】
ちなみに、図３及び図４における測定対象であったレールＲＬ３１には、直流軌道回路の信号電流（直流電流）の他に、踏切制御子の交流電流が重畳して流れていたため、フィルタが必要であったが、勿論、踏切制御子の交流電流等が重畳して流れていない直流軌道回路であれば、当該フィルタは必須の構成要素ではない。
【００３４】
また、図３及び図４における説明に際しては、測定作業者が、各測定点における信号電流の有無を判断して短絡箇所を特定しているが、信号処理部３において、各測定点における信号電流の有無を判断して短絡箇所を特定して表示手段に短絡箇所を表示させても良い。
【００３５】
以上のように、本発明の実施形態によれば、直流軌道回路の直流信号である信号電流を測定する電流測定器１００において、レールの長手方向に沿って移動可能にレール踏面に載置される走行部１と、走行部の長手方向に所定の間隔をおいて設けられレールに接触して当該接触部分の電位差を検出するための２つの接触子２と、２つの接触子２で検出された電位差に基づき信号電流の値を計算して表示する信号処理部３とを備えることにより、レール踏面に載置された走行部１を、レールの長手方向に沿って各測定点まで移動し、２つの接触子２で検出された電位差に基づき信号電流（直流電流）の値を計算し表示できるので、直流軌道回路において、絶縁されたレール（閉塞区間）全体に亘って移動しながら各測定点で直流電流である信号電流を測定することができる。
【００３６】
また、走行部をレール踏面に載置して各測定点に移動し、各測定点において、走行部の長手方向に所定の間隔をおいて設けられレールに接触して当該接触部分の電位差を検出するための２つの接触子が、当該接触部分の電位差を検出し、信号処理部が、２つの接触子で検出された電位差に基づき信号電流の値を計算して表示すると共に、信号電流が測定できた測定点と、信号電流が測定できなかった測定点との間に短絡箇所があると特定して表示することにより、各測定点における測定された信号電流の値に基づき、短絡箇所を特定することができる。
【００３７】
（第２実施形態）
本発明の実施形態等の説明に際しては、接触子２は１つの導電性を有する部材、或いは、１つのブラシ状部材で構成されていた。しかし、レールにカント（レールの曲線部において、外側のレールまたは路面を内側よりも高くする）が設けられた場合、レール踏面も水平ではなく傾斜が生じてしまい、１つのブラシ状部材等で構成された接触子２では、レール踏面の片側（高い側）だけが研磨されてしまうので、２つのブラシ状部材から構成してレール踏面を均等に研磨させても良い。
図５は、第２実施形態に係る直流軌道回路の信号電流測定器１０１の構成の一例を示す概略構成図である。なお、前述の直流軌道回路の信号電流測定器と同じ部分の説明は適宜省略する。
図５に示すように、第２実施形態に係る直流軌道回路の信号電流測定器１０１は、走行部１、信号処理部３を有し、さらに、走行部１の短手方向に並んだ２つのブラシ状部材から構成される接触子４が、走行部１の長手方向の両端にそれぞれ設けられる。
このように、第２実施形態に係る直流軌道回路の信号電流測定器１０１によれば、接触子を、走行部１の短手方向に並んだ２つのブラシ状部材から構成される接触子４とすることにより、レールにカント（レールの曲線部において、外側のレールまたは路面を内側よりも高くする）が設けられた場合であっても、２つのブラシ状部材がレール踏面に接触し易くなって、レール踏面を均等に研磨することができるので、測定点において確実に接触子４とレール踏面との接触を担保することができ、より正確に信号電流の値の測定をすることができる。
【００３８】
（第３実施形態）
本発明の実施形態等の説明に際しては、２つの接触子４等を走行部１の長手方向の両端にそれぞれ設けているが、バネ等の付勢部により、接触子をレール踏面に押し付ける構成にしても良い。
図６は、第３実施形態に係る直流軌道回路の信号電流測定器１０２の構成の一例を示す概略構成図である。なお、前述の直流軌道回路の信号電流測定器と同じ部分の説明は適宜省略する。
図６に示すように、第３実施形態に係る直流軌道回路の信号電流測定器１０２は、走行部１、信号処理部３、接触子４を有し、さらに、各接触子４をレール踏面に押し付けるバネ等の付勢部５が設けられる。
このように、第３実施形態に係る直流軌道回路の信号電流測定器１０２によれば、接触子４を付勢部５によりレール踏面に押し付けることにより、測定点において確実に接触子４とレール踏面との接触を担保することができ、より正確に信号電流の値の測定をすることができる。
【００３９】
なお、本発明の実施形態等の説明に際しては、２つの接触子は所定の間隔でレールに接触して当該接触部分の電位差を検出しているが、２つの接触子の所定の間隔を可変にしても良い。
例えば、２つの接触子の所定の間隔を広くすることにより、測定される電位差の値は大きくなるので測定感度を向上させることができる。また、短絡箇所を特定する際には、測定感度よりも信号電流の有無が必要な情報となるので２つの接触子の所定の間隔を狭くすることにより、短絡箇所を細かく特定することができる。
【００４０】
また、本発明の実施形態等の説明に際しては、信号処理部３は、２つの接触子２で検出された電位差と、予め設定されたレールの定数である抵抗値に基づき直流電流である信号電流の値を計算して表示しているが、レールの種類に応じて異なる定数（抵抗値）を用いて信号電流の値を計算しても良い。
レールの種類によって定数である抵抗値が異なるので、レールの種類に応じて対応する抵抗値を用いて信号電流の値を計算することにより、より正確に信号電流の値の測定をすることができる。
【００４１】
また、本発明の実施形態等の説明に際しては、信号処理部３は、２つの接触子２で検出された電位差と、予め設定されたレールの定数である抵抗値に基づき直流電流である信号電流の値を計算して表示しているが、２つの接触子で検出される電位差は、その数値が安定するまで待つ必要性がある。
このため、信号処理部３において、予め所定の範囲の閾値を定めておき、検出される電位差が当該所定の範囲の閾値に収まるまで、測定結果を表示させないように制御しても良い。例えば、検出される電位差が所定の範囲の閾値に収まるまで、信号処理部３の表示手段に「測定中」等の表示をしておき、検出される電位差が所定の範囲の閾値に収まった時点で計算された信号電流の値を表示させても良い。
この場合、測定作業者が誤って安定していない信号電流の値を記録してしまう等の不具合を防止することができる。
【００４２】
さらに、信号処理部３において、予め所定の待機時間を定めておき、検出される電位差が、当該所定の待機時間内に、前述の所定の範囲の閾値に収まらない場合は、接触子のレール踏面への接触不良であると判断して、信号処理部３の表示手段にエラー表示しても良い。
この場合には、測定作業者は、接触子とレール踏面との接触状況を再確認することにより、測定点において確実に接触子とレール踏面との接触を担保することができ、より正確に信号電流の値の測定をすることができる。
【符号の説明】
【００４３】
１  走行部
２、４  接触子
３  信号処理部
５  付勢部
ＧＤ１１  ガイド
ＲＬ２１、ＲＬ３１  レール
ＴＰ２１  レール踏面
Ｒ３１、Ｒ３２  限流抵抗
ＴＲ３１  軌道リレー
ＦＲ３１  整流器
ＦＬ３１、ＦＬ４１  短絡箇所
【図１】
0006405134.tif 000002
【図２】
0006405134.tif 000003
【図３】
0006405134.tif 000004
【図４】
0006405134.tif 000005
【図５】
0006405134.tif 000006
【図６】
0006405134.tif 000007